【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置の表示結果に応じて入賞が発生可能とされたスロットマシンであって、
信号が入力されることにより外部割込を発生させる複数の割込入力端子を有するマイクロコンピュータにて構成され、遊技の制御を行うメイン制御手段を備え、
前記メイン制御手段は、
データを読み出し及び書き込み可能に記憶する記憶領域を有し、前記記憶領域として前記メイン制御手段を構成するマイクロコンピュータが動作を行うためのデータが記憶されるワーク領域が少なくとも割り当てられたデータ記憶手段と、
前記スロットマシンへの電源供給が遮断しても前記データ記憶手段に記憶されているデータを保持する保持手段と、
所定の電断条件が成立したときに、正常に電断した旨を特定可能な特定データを設定する処理を含む電断処理を実行する電断処理実行手段と、
前記スロットマシンへの電源投入時に、起動処理を行う起動処理手段と、
前記起動処理において前記特定データが設定されているか否かに基づいて前記データ記憶手段のデータが正常か否かを判定する記憶データ判定手段と、
前記記憶データ判定手段により前記データ記憶手段のデータが正常でないと判定された場合に、前記データ記憶手段におけるワーク領域を初期化する初期化手段と、
を含み、
前記複数の割込入力端子のうち遊技進行に関連する割込処理の発生契機として使用が予定されていない未使用の割込入力端子に信号が入力され外部割込が発生したときに、前記電断処理を行うことなく、前記起動処理を行わせることで、前記データ記憶手段におけるワーク領域を初期化させる
ことを特徴とするスロットマシン。
【手続補正２】
【補正対象書類名】明細書
【補正対象項目名】００１０
【補正方法】変更
【補正の内容】
【００１０】
上記課題を解決するために、本発明の請求項１に記載のスロットマシンは、
遊技用価値（メダル）を用いて１ゲームに対して所定数の賭数を設定することによりゲームが開始可能となるとともに、各々が識別可能な複数種類の識別情報を変動表示可能な可変表示装置（リール２Ｌ、２Ｃ、２Ｒ）の表示結果が導出表示されることにより１ゲームが終了し、該可変表示装置の表示結果に応じて入賞が発生可能とされたスロットマシン（スロットマシン１）であって、
信号が入力されることにより外部割込を発生させる複数の割込入力端子（ＩＮＴ、ＮＭＩ）を有するマイクロコンピュータにて構成され、遊技の制御を行うメイン制御手段（メイン制御部４１）を備え、
前記メイン制御手段は、
データを読み出し及び書き込み可能に記憶する記憶領域を有し、前記記憶領域として前記メイン制御手段を構成するマイクロコンピュータが動作を行うためのデータが記憶されるワーク領域（重要ワーク、一般ワーク、特別ワーク、設定値ワーク、非保存ワーク）が少なくとも割り当てられたデータ記憶手段（ＲＡＭ４１ｃ）と、
前記スロットマシンへの電源供給が遮断しても前記データ記憶手段に記憶されているデータを保持する保持手段と、
所定の電断条件が成立したときに、正常に電断した旨を特定可能な特定データを設定する処理を含む電断処理を実行する電断処理実行手段と、
前記スロットマシンへの電源投入時に、起動処理を行う起動処理手段と、
前記起動処理において前記特定データが設定されているか否かに基づいて前記データ記憶手段のデータが正常か否かを判定する記憶データ判定手段と、
前記記憶データ判定手段により前記データ記憶手段のデータが正常でないと判定された場合に、前記データ記憶手段におけるワーク領域を初期化する初期化手段（ＣＰＵ４１ａによる初期化１におけるＲＡＭ４１ｃの初期化）と、
を含み、
前記複数の割込入力端子のうち遊技進行に関連する割込処理の発生契機として使用が予定されていない未使用の割込入力端子に信号が入力され外部割込が発生したときに、前記電断処理を行うことなく、前記起動処理を行わせることで、前記データ記憶手段におけるワーク領域を初期化させる
ことを特徴としている。
この特徴によれば、未使用の割込が発生したときには、データ記憶手段のワーク領域が初期化されるため、未使用の割込発生の契機となりうるノイズによってデータ記憶手段のデータに異常が生じても、データ記憶手段のデータに異常が生じたままの状態で遊技が行われてしまうことを防止できる。
尚、請求項１において所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
【手続補正３】
【補正対象書類名】明細書
【補正対象項目名】００１１
【補正方法】変更
【補正の内容】
【００１１】
本発明の手段１に記載のスロットマシンは、請求項１に記載のスロットマシンであって、
前記初期化手段（ＣＰＵ４１ａによる初期化１におけるＲＡＭ４１ｃの初期化）は、所定の初期化操作手段の操作（設定キースイッチ３７をＯＮの状態とする操作）に基づいて、前記データ記憶手段（ＲＡＭ４１ｃ）におけるワーク領域（重要ワーク、一般ワーク、特別ワーク、設定値ワーク、非保存ワーク）を初期化することを特徴としている。
この特徴によれば、所定の初期化操作手段の操作が行われるまでゲームの進行が不能化される。このゲームの進行が不能化される契機となった未使用の割込は、不正行為に伴うノイズにより発生した可能性がある。このような場合においては、所定の操作を遊技店の従業員のみが実施可能な操作とすることで、ゲームを再開するために遊技店の従業員が操作を行う必要があるので、かかる不正行為を効果的に防止することができる。
また、ゲームの進行が不能化された状態を解除するための所定の初期化操作手段の操作は、例えば電源の再投入を必要とするような、手間のかかる操作であることが好ましく、このようにすることで、かかる不正行為を一層効果的に防止することができる。
【手続補正４】
【補正対象書類名】明細書
【補正対象項目名】００１２
【補正方法】変更
【補正の内容】
【００１２】
本発明の手段２に記載のスロットマシンは、請求項１または手段１に記載のスロットマシンであって、
所定の設定操作手段（設定キースイッチ３７）の操作に基づいて、入賞の発生が許容されるか否かが決定される割合（当選確率）が異なる複数種類の許容段階（設定値）のうちから、いずれかの許容段階を選択する許容段階選択手段（ＣＰＵ４１ａによる設定変更処理）と、
前記許容段階選択手段により選択された許容段階を示すデータを前記データ記憶手段の記憶領域に割り当てられた許容段階記憶領域（設定値ワーク）に設定する許容段階設定手段（ＣＰＵ４１ａによる設定変更処理において確定した設定値を設定値ワークに格納する処理）と、
を備え、
前記初期化手段（ＣＰＵ４１ａによる初期化１におけるＲＡＭ４１ｃの初期化）は、前記設定操作手段の操作に基づいて前記許容段階設定手段により前記許容段階が新たに設定されることを条件に、前記データ記憶手段（ＲＡＭ４１ｃ）におけるワーク領域（重要ワーク、一般ワーク、特別ワーク、設定値ワーク、非保存ワーク）を初期化する、
ことを特徴としている。
この特徴によれば、ゲームの進行が不能化された状態は、所定の設定操作手段の操作に基づいて許容段階（設定値）が新たに選択・設定されることで解除される。このため、未使用の割込発生の契機となったノイズによって、許容段階を示すデータ記憶手段のデータに異常が生じても、所定の設定操作手段の操作に基づいて選択・設定された許容段階（一般的に、設定操作手段の操作は遊技店の従業員により操作されるので、遊技店側が選択した許容段階である）に基づいてゲームが行われることが担保されるので、ゲームの公平性を図ることができる。
また、ゲームの進行が不能化される契機となった未使用の割込は、不正行為に伴うノイズにより発生した可能性がある。このような場合においてゲームを再開するためには、通常のエラーを解除するためのリセット操作よりも手間のかかる許容段階の変更操作を行う必要があるので、かかる不正行為を効果的に防止することができる。
また、ゲームの進行が不能化された状態を解除するための所定の設定操作手段の操作は、例えば電源の再投入を必要とするような、手間のかかる操作であることが好ましく、このようにすることで、かかる不正行為を一層効果的に防止することができる。
尚、初期化手段は、所定の設定操作手段の操作を契機としてワーク領域を初期化するものであれば良く、例えば、所定の設定操作手段の操作が有効になった時点や、許容段階が新たに設定された時点などのタイミングであれば良い。
【手続補正５】
【補正対象書類名】明細書
【補正対象項目名】００１３
【補正方法】変更
【補正の内容】
【００１３】
本発明の手段３に記載のスロットマシンは、請求項１、手段１または２のいずれかに記載のスロットマシンであって、
前記マイクロコンピュータ（メイン制御部４１）における未使用の割込入力端子（ＩＮＴ、ＮＭＩ）を所定電源（＋５Ｖ）にプルアップすることを特徴としている。
この特徴によれば、マイクロコンピュータの未使用の割込入力端子が所定電源にプルアップされているので、ノイズが発生したときにも未使用の割込が発生する可能性を低減できる。